(57)【要約】      （修正有）【課題】体積を小型化し、重量が軽く、手軽に携帯可能かつ強度が高く、折れたり、回ったりしにくいマルチ折畳み自動傘を提供する。【解決手段】パイプ２１、２２、２３，２４，２５，３は内方向に窪みを形成し、その窪みがシャフトに軸方向に沿って延びる溝部となる。前記溝部の数は順次径が小さくなるにつれ１つずつ増加し、その第１中間パイプ２１の溝の数は１，第２中間パイプ２２の溝の数は２，第３中間パイプ２３の溝の数は３，第４中間パイプ２４の溝の数は４，第５中間パイプ２５の溝の数は５、内パイプの溝の数は６である。外パイプ１は傘のグリップ部と接続し、内パイプ３は上方のハブを通って、傘の骨組みと接続し、傘の布を支える。【選択図】図２
0003129120.tif 000002
【実用新案登録請求の範囲】
【請求項１】
１本の内パイプ、１本の外パイプ及び少なくとも３本以上の中間パイプを備えるとともに、前記外パイプ、前記中間パイプ及び前記内パイプをパイプ径のより大きなものからより小さなものへと順次に内層に嵌入させる伸縮可能な構造を備えるマルチ折畳み傘のシャフトであって、
前記外パイプは円筒形状をなし、前記中間パイプ及び前記内パイプは溝部を備え、該溝部は内側方向のくぼみがシャフト軸方向に沿って配され、第１中間パイプは前記外パイプ内に嵌入して接続し、他の前記中間パイプ及び前記内パイプの外周面にある溝の数はパイプの直径が小さくなるにつれ１ずつ増加し、偶数個の溝のあるパイプは該溝がパイプ壁面にわたり均等に分布し、奇数個の溝のあるパイプは該溝がパイプ壁面に不均等に分布することを特徴とするマルチ折畳み傘のシャフト。
【請求項２】
前記外パイプ及び前記中間パイプの各パイプの内壁に銅製の嵌入体を一つ固定し、互いに嵌合する２本のパイプのうちより外層にあるパイプの内壁に固定された銅製の嵌入体が、より内層のパイプの外周面上にあるいずれかの溝と摺動可能に配されることを特徴とする請求項１記載のマルチ折畳み傘のシャフト。
【請求項３】
前記外パイプと中間パイプの先端部の断面は、他の部分に比べて径小に形成され、前記中間パイプと内パイプの基端部の断面は、他の部分よりも径大に形成され、前記シャフト内で径大とされた部分と径小とされた部分が互いに係合することを特徴とする請求項１又は２記載のマルチ折畳み傘のシャフト。
【請求項４】
前記シャフトは７本のパイプからなり、該７本のパイプが前記外パイプ、第１中間パイプ、第２中間パイプ、第３中間パイプ、第４中間パイプ、第５中間パイプ及び前記内パイプからなることを特徴とする請求項１又は２記載のマルチ折畳み傘のシャフト。
【請求項５】
前記シャフトは６本のパイプからなり、該６本のパイプが前記外パイプ、第１中間パイプ、第２中間パイプ、第３中間パイプ、第４中間パイプ及び前記内パイプからなることを特徴とする請求項１又は２記載のマルチ折畳み傘のシャフト。
【考案の詳細な説明】
【技術分野】
【０００１】
本考案は生活用品である傘の部品に関し、より具体的には、マルチ折畳み傘のシャフト構造の改善に関する。
【背景技術】
【０００２】
従来、社会において幅広く使用されているマルチ折畳み自動式傘はそのシャフトが互いに嵌合して接続された中空パイプからなり、その殆どが三段のパイプで組み合わされている。パイプの径の大きいものから順次、より外層からより内層に外パイプ、中間パイプ、内パイプと嵌入していくが、三段でしかシャフトを組合せていないので、各パイプの長さは割合長く、収縮する時に傘体積の縮小率が限られ、手軽に携帯可能な大きさに収縮できなかった。そのため、四折り又は五折りのマルチ折畳み傘が市場で見られるようになった。各パイプ体の間の歪みや折れを避けるため、これらのシャフトのパイプ体の横断面の形状は大部分が多角形で作製されていたが、この多角形の角の影響で、パイプ間の摩耗が酷くなり、パイプが破損しやすく、傘の開け締めに余分な力を要するという問題があった。そのほかにもシャフトの折畳みが多くなるほど、シャフトが充分な強度を保つために外パイプの径が広くなるという問題がある。
【考案の開示】
【考案が解決しようとする課題】
【０００３】
本考案は、上記したような従来技術の問題点を解決すべくなされたものであって、直径が小さく、かつ充分な強度があり、歪みや折れが生じにくく、操作しやすく、実用的で、体積の小さなマルチ折畳み傘のシャフトを提供するものである。
【課題を解決するための手段】
【０００４】
本考案の目的は以下の技術手段を用い実現できる。
請求項１に係る考案は、１本の内パイプ、１本の外パイプ及び少なくとも３本以上の中間パイプを備えるとともに、前記外パイプ、前記中間パイプ及び前記内パイプをパイプ径のより大きなものからより小さなものへと順次に内層に嵌入させる伸縮可能な構造を備えるマルチ折畳み傘のシャフトであって、前記外パイプは円筒形状をなし、前記中間パイプ及び前記内パイプは溝部を備え、該溝部は内側方向のくぼみがシャフト軸方向に沿って配され、第１中間パイプは前記外パイプ内に嵌入して接続し、他の前記中間パイプ及び前記内パイプの外周面にある溝の数はパイプの直径が小さくなるにつれ1ずつ増加し、偶数個の溝のあるパイプは該溝がパイプ壁面にわたり均等に分布し、奇数個の溝のあるパイプは該溝がパイプ壁面に不均一に分布することを特徴とするマルチ折畳み傘のシャフト関する。
【０００５】
請求項２に係る考案は、前記外パイプ及び前記中間パイプの各パイプの内壁に銅製の嵌入体を一つ固定し、互いに嵌合する２本のパイプのうちより外層にあるパイプの内壁に固定された銅製の嵌入体が、より内層のパイプの外周面上にあるいずれかの溝と摺動可能に配されることを特徴とする請求項１記載のマルチ折畳み傘のシャフトに関する。
【０００６】
請求項３に係る考案は、前記外パイプと中間パイプの先端部の断面は、他の部分に比べて径小に形成され、前記中間パイプと内パイプの基端部の断面は、他の部分よりも径大に形成され、前記シャフト内で径大とされた部分と径小とされた部分が互いに係合することを特徴とする請求項１又は２記載のマルチ折畳み傘のシャフトに関する。
【０００７】
請求項４に係る考案は、前記シャフトは７本のパイプからなり、該７本のパイプが前記外パイプ、第１中間パイプ、第２中間パイプ、第３中間パイプ、第４中間パイプ、第５中間パイプ及び前記内パイプからなることを特徴とする請求項１又は２記載のマルチ折畳み傘のシャフトに関する。
【考案の効果】
【０００８】
前記考案を採用したマルチ折畳み傘のシャフトは以下の有利な点を有する。
【０００９】
溝部のあるパイプ体は断面が円形のパイプ体より強度が高く、折れにくいため、パイプの直径を小さくすることが可能となる。またシャフトの折畳みを六箇所又は七箇所と多くすることができ、折畳むと傘の収納体積も小さく、また軽量で、携帯にも便利となる。
【００１０】
溝部は銅製の嵌入体と嵌合してパイプ同士の磨耗や不要な運動を回避する役目を持つので、通常折畳みの傘の歪みや変形を発生させやすいという欠陥を避けられる。
【００１１】
隣接したパイプ体の溝の数を変えることで、パイプ体が互いに運動し合う時に２つのパイプの間には2つの円弧部の凹凸により空間が出現し、接触し合うパイプ体間の伸縮と滑り運動をより滑らかにすることができる。
【００１２】
各パイプ体が互いに接続する端部には大径のパイプの先端部を縮小し、小径のパイプの基端部を拡張する方法を取って、嵌合する部分に止め部を介在させることで、パイプ同士が係止され離脱しにくくなる。この構造は簡単で、作製が容易である。
【考案を実施するための最良の形態】
【００１３】
次に、図面を参照しながら本考案の実施形態をさらに詳しく説明する。本考案に従って設計されたマルチ折畳み傘のシャフト（１）は五折り、六折り、七折り等に折畳む箇所を変更可能な構造とすることができる。以下、七折りを例として、本考案の構造の特徴を説明する。
図２の如く、本考案に従って設計されたマルチ折畳み傘のシャフトは外パイプ（１）、内パイプ（３）、中間パイプ（２）を含み、その中の中間パイプ（２）は第１中間パイプ（２１）、第２中間パイプ（２２）、第３中間パイプ（２３）、第４中間パイプ（２４）、第５中間パイプ（２５）からなる。前記外パイプ（１）、中間パイプ（２）と内パイプ（３）は、パイプの直径のより大きなものを外層に配して順次パイプの直径のより小さなものを内層に嵌入させて伸縮可能な構造をなす。その最大パイプ径を有する外パイプ（１）は断面が円形であって、その他のパイプ（２１）、（２２）、（２３）、（２４）、（２５）、（３）は内方向に窪みを形成し、その窪みがシャフトに軸方向に沿って延びる溝部となる。前記溝部の数は順次径が小さくなるにつれ１つずつ増加し、その第１中間パイプ（２１）の溝の数は１、第２中間パイプ（２２）の溝の数は２、第３中間パイプ（２３）の溝の数は３、第４中間パイプ（２４）の溝の数は４、第５中間パイプ（２５）の溝の数は５、内パイプの溝の数は６である。
【００１４】
外パイプ（１）は傘のグリップ部と接続し、内パイプ（３）は上方のハブを通って、傘の骨組みと接続し、傘の布を支える。前記上方のハブ、傘の骨組み、傘のグリップ部及びその他の部品は皆現在の技術と同じなので、それらの部位若しくは対応する部品についての本明細書中での説明は省略する。
【００１５】
図２乃至図５の如く、第１中間パイプ（２１）と第２中間パイプ（２２）は互いに嵌合され接続する。第１中間パイプ（２１）の断面は内側に窪んだ部分を１つ有する円となる。この断面はシャフトに沿って軸方向に伸びる溝である。該パイプの外周面は窪んだ溝部と円周面から構成される。
【００１６】
同様に、図２、図５、図６の如く、第２中間パイプ（２２）と第３中間パイプ（２３）は互いに嵌合され接続する。図５のように、第２中間パイプ（２２）の断面は２本の対称的な内側に窪んだ円弧部を含む円形で、この断面の溝がシャフトに沿って軸方向に伸びる溝である。該パイプの外周面は前記窪んだ溝面と円柱側面から構成される。
【００１７】
図２、図６、図７、図８、図９の如く、第３中間パイプ（２３）と第４中間パイプ（２４）、第４中間パイプ（２４）と第５中間パイプ（２５）、第５中間パイプ（２５）と内パイプ（３）とがそれぞれ嵌合して接続する。
【００１８】
図３乃至図９の如く、溝の数が偶数の時、パイプ本体の断面は対称になり、溝の数が奇数の時、パイプ本体の断面は対称とならない。即ち、溝の配置は溝の数が偶数の場合は円筒形断面の周方向に沿って等間隔であり、奇数の場合は、等間隔でない。
【００１９】
断面形状を上述したような形状とすることで、パイプ本体が折れにくくなるため、パイプの直径を小さくすることが可能となる。
【００２０】
隣接する２本のパイプの接続部分においては以下のような形態をとる。図１のように、第１中間パイプ（２１）は１つの溝を備え、第２中間パイプ（２２）は２つの溝を備える。第１中間パイプ（２１）と第２中間パイプ（２２）との接続部においては、第１中間パイプ（２１）の先端部の径を縮小し、第2中間パイプ（２２）の基端部の径を拡張し、それぞれ縮小部（１０２）及び拡大部（１０１）とする。この結果、第１中間パイプ（２１）と第２中間パイプ（２２）の径が変化する部分に止め部（１１１）が設けられ、第２中間パイプ（２２）を第１中間パイプ（２１）から外へ引き出す力が加わる際に、止め部（１１１）に係止され離脱しなくなる。
【００２１】
同様に、その他の２本のパイプの間の結合部にも図１の如く止め部が形成される。以下同様のため上記に倣い、説明を省略する。
【００２２】
図１１の如く、互いに隣接して嵌合する第１中間パイプ（２１）と第２中間パイプ（２２）は長手方向に摺動可能であって、それぞれのパイプの外周面上の一部をなす少なくとも1つの窪んだ溝同士が摺動可能に嵌合し、第２中間パイプ（２２）は第１中間パイプ（２１）より１つ多い数の溝（１０４）を備え、溝（１０４）とパイプの外周面（１０３）との間には間隙（２２２）が形成されている。
【００２３】
同様に、図３乃至図１０に示される如く、隣接した２本のパイプの各接続部において間隙（２２２）が形成される。同様の形態をとるため詳細な説明は上記の内容に従う。この間隙（２２２）においては面同士が接触しないため、互いに隣接するパイプ体の間に発生する摩擦が低減し、パイプ体を伸縮させる摺動動作をより一層円滑となることで、傘を開く時に要する力が低減される。
【００２４】
前記方法による構成を備えた傘のシャフトは折り数が多いため、その強度を更に高める必要がある。図１１のように、第１中間パイプ（２１）と第２中間パイプ（２２）との間に形成される間隙（２２２）の中に銅製の嵌入体（５）を備え、銅製の嵌入体（５）の断面積は間隙（２２２）の断面積よりも小さく、該銅製の嵌入体（５）が第１中間パイプ（２１）の内壁に固定され、第２中間パイプと摺接する。同様に、外パイプと中間パイプのすべてのパイプ体の内壁に銅製の嵌入体（５）を結合してパイプを強化する。この銅製の嵌入体は皆そのパイプ体と隣接する内層パイプとの間に形成された間隙（２２２）の中に組み込まれ、該隣接した内層パイプの外壁にある窪んだ溝部と摺接し、通常の使用時では、折れたり、変形せず、損傷を起こすような摩耗も起きない。
【００２５】
上記した実施例において七折りを例として本考案の実施形態を説明しているが、七折りに限定されず、五折り、六折り、八折りでも、その考案の概念は一緒である。
前記傘のシャフトにより作製されたマルチ折畳み傘は体積が小さく、構造が簡単、丈夫で、耐久性があるといった有利な点を有する。
【図面の簡単な説明】
【００２６】
【図１】本考案のマルチ折畳み傘のシャフトを伸長させた時の軸方向断面図である。
【図２】本考案のマルチ折畳み傘のシャフトを伸長させた時の斜視図である。
【図３】本考案の外パイプの横方向の断面図である。
【図４】本考案の第１中間パイプ（２１）の横方向の断面図である。
【図５】本考案の第２中間パイプ（２２）の横方向の断面図である。
【図６】本考案の第３中間パイプ（２３）の横方向の断面図である。
【図７】本考案の第４中間パイプ（２４）の横方向の断面図である
【図８】本考案の第５中間パイプ（２５）の横方向の断面図である。
【図９】本考案の内パイプ（３）の横方向の断面図である。
【図１０】本考案のマルチ折畳み傘のシャフトを収縮させた時の横方向の断面図である
【図１１】本考案のマルチ折畳み傘のシャフトにおける隣接し合う２本パイプの間に形成される間隙及び銅製の嵌入体についての図である。
【符号の説明】
【００２７】
（１）      外パイプ
（２）      中間パイプ
（３）      内パイプ
（５）      銅製の嵌入体
（２１）    第１中間パイプ
（２２）    第２中間パイプ
（２３）    第３中間パイプ
（２４）    第４中間パイプ
（２５）    第５中間パイプ
（１０１）  拡大部
（１０２）  縮小部
（１０３）  外周面
（１０４）  溝部
（１１１）  止め部
（２２２）  間隙
【図１】
0003129120.tif 000003
【図２】
0003129120.tif 000004
【図３】
0003129120.tif 000005
【図４】
0003129120.tif 000006
【図５】
0003129120.tif 000007
【図６】
0003129120.tif 000008
【図７】
0003129120.tif 000009
【図８】
0003129120.tif 000010
【図９】
0003129120.tif 000011
【図１０】
0003129120.tif 000012
【図１１】
0003129120.tif 000013